【手続補正書】
【提出日】令和3年11月1日(2021.11.1)
【手続補正１】
【補正対象書類名】明細書
【補正対象項目名】００６５
【補正方法】変更
【補正の内容】
【００６５】
同様に、本開示の恩恵を受けることにより、当業者は、上記の実施形態の説明において、開示の効率化の目的上、種々の特徴が単一の実施形態、図、又はそれらの記載に集約されている場合がある点を、理解するべきである。しかし、本開示の方法は、いずれの請求項も、その請求項で明示的に記載された特徴よりも多くの特徴を必要とするという意図を反映するものとして、解釈されるべきではない。むしろ、以下の請求項が反映するように、発明の態様は、上記で開示された任意の単一の実施形態の全ての特徴よりも、少ない特徴の組み合わせにある。したがって、この「発明を実施するための形態」に続く請求項は、この「発明を実施するための形態」に明示的に組み込まれるものであり、各請求項は、それ自体が別個の実施形態として独立している。本開示は、独立請求項とそれらの従属請求項の、あらゆる並べ替えを含む。
なお、本発明の実施形態として、以下のものが含まれる。
〔実施形態１〕
止血装置であって、
血管穿刺部位を圧迫するように構成された圧迫部材と、
前記圧迫部材の第１の側部に連結されたハンドバンドと、
前記圧迫部材の第２の側部に連結された親指バンドと、
前記圧迫部材の第３の側部に連結された固定バンドと、
を備える止血装置。
〔実施形態２〕
前記圧迫部材が、前記穿刺部位に圧迫力を加えるように構成された圧迫機構を備える、実施形態１に記載の止血装置。
〔実施形態３〕
前記圧迫機構が流体で膨張されるように構成されている、実施形態２に記載の止血装置。
〔実施形態４〕
前記圧迫機構が、
上部プレートと、
前記上部プレートの底面に連結された膨張可能なブラダと、
前記膨張可能なブラダと流体連通する膨張ポートと、
を備える、実施形態２又は３に記載の止血装置。
〔実施形態５〕
前記膨張ポートが、前記上部プレートに連結された弁部材を備える、実施形態４に記載の止血装置。
〔実施形態６〕
前記膨張ポートが、前記上部プレートに連結された延長チューブを第１の端部に、弁部材を第２の端部に備える、実施形態４に記載の止血装置。
〔実施形態７〕
前記圧迫機構がねじ付きポストを備える、実施形態２に記載の止血装置。
〔実施形態８〕
前記ハンドバンド、前記親指バンド及び前記固定バンドが、前記圧迫部材を前記穿刺部位上に配置して、前記圧迫部材を前記穿刺部位上に保持するように構成されている、実施形態１〜７のいずれか一項に記載の止血装置。
〔実施形態９〕
前記ハンドバンドが、患者の手首、足又は手の近位部分の周りに巻き付くように構成されている、実施形態１〜８のいずれか一項に記載の止血装置。
〔実施形態１０〕
前記親指バンドが、患者の手の親指と人差し指との間の前記親指の付け根の周りに巻き付くように、又は踵の周りに巻き付くように構成されている、実施形態１〜９のいずれか一項に記載の止血装置。
〔実施形態１１〕
前記ハンドバンドが、前記固定バンドに解放可能に連結するように構成されている、実施形態１〜１０のいずれか一項に記載の止血装置。
〔実施形態１２〕
前記親指バンドが、前記ハンドバンドに解放可能に連結するように構成されている、実施形態１〜１１のいずれか一項に記載の止血装置。
〔実施形態１３〕
前記ハンドバンド、前記親指バンド及び前記固定バンドが解放可能な連結機構を含む、実施形態１〜１２のいずれか一項に記載の止血装置。
〔実施形態１４〕
前記解放可能な連結機構が「フックアンドループ」材料を含む、実施形態１３に記載の止血装置。
〔実施形態１５〕
前記圧迫部材が、患者の手の前記解剖学的嗅ぎタバコ入れ内の遠位橈骨動脈穿刺部位を圧迫するように構成されている、実施形態１〜１４のいずれか一項に記載の止血装置。
〔実施形態１６〕
前記圧迫部材が、患者の遠位橈骨動脈穿刺部位を圧迫するように構成されている、実施形態１〜１４のいずれか一項に記載の止血装置。
〔実施形態１７〕
前記圧迫部材が、患者の足の動脈穿刺部位を圧迫するように構成されている、実施形態１〜１４のいずれか一項に記載の止血装置。
〔実施形態１８〕
血管アクセス穿刺部位に圧迫力を加える方法であって、
止血装置であって、
圧迫部材と、
ハンドバンドと、
親指バンドと、
固定バンドと、
を備える止血装置を得ることと、
前記圧迫部材を前記穿刺部位上に配置することと、
を含む方法。
〔実施形態１９〕
前記ハンドバンドを、手の近位部分、手首又は足の周りに巻き付けることであって、前記ハンドバンドが前記固定バンドに連結されることと、
手の親指と人差し指との間の前記親指の付け根又は足の踵の周りに前記親指バンドを巻き付けることであって、前記親指バンドが前記ハンドバンドに連結されることと、
を更に含む、実施形態１８に記載の方法。
〔実施形態２０〕
患者の前記手の解剖学的嗅ぎタバコ入れ領域内の遠位橈骨動脈にアクセスすることを更に含む、実施形態１８又は１９に記載の方法。
〔実施形態２１〕
患者の前記手首の動脈にアクセスすることを更に含む、実施形態１８に記載の方法。
〔実施形態２２〕
患者の前記足の動脈にアクセスすることを更に含む、実施形態１８又は１９に記載の方法。
〔実施形態２３〕
前記圧迫部材を作動させて、前記穿刺部位に圧迫力を加えることを更に含む、実施形態１８〜２２のいずれか一項に記載の方法。
〔実施形態２４〕
流体がアクセス膨張ポートを通して前記圧迫部材の膨張可能なブラダ内に注入される、実施形態２３に記載の方法。
〔実施形態２５〕
止血装置であって、
血管アクセス穿刺部位を圧迫するように構成された圧迫部材と、
前記圧迫部材の第１の側部に連結された第１のバンドと、
前記圧迫部材の第２の側部に連結された第２のバンドと、
前記圧迫部材の第３の側部に連結された第３のバンドと、
を備える止血装置。
〔実施形態２６〕
前記第１のバンドが、患者の手の近位部分、手首又は足の周りに延びるように構成されている、実施形態２５に記載の止血装置。
〔実施形態２７〕
前記第２のバンドが、患者の親指と人差し指との間の前記親指の付け根の周りに延びるように、又は足の踵の周りに延びるように構成されている、実施形態２５又は２６に記載の止血装置。
〔実施形態２８〕
前記第１のバンドが、前記第３のバンドに解放可能に連結するように構成されている、実施形態２５〜２７のいずれか一項に記載の止血装置。
〔実施形態２９〕
前記圧迫部材が機械的圧迫機構を備える、実施形態２５〜２８のいずれか一項に記載の止血装置。
〔実施形態３０〕
前記圧迫部材が圧迫機構を備える、実施形態２５〜２８のいずれか一項に記載の止血装置。
〔実施形態３１〕
前記圧迫機構が膨張流体であるように構成されている、実施形態３０に記載の止血装置。
〔実施形態３２〕
前記圧迫機構が、
上部プレートと、
前記上部プレートの底面に連結された膨張可能なブラダと、
前記膨張可能なブラダと流体連通する膨張ポートと、
を備える、実施形態３１に記載の止血装置。
〔実施形態３３〕
前記膨張ポートが、前記上部プレートに連結された弁部材を備える、実施形態３２に記載の止血装置。
〔実施形態３４〕
前記膨張ポートが、前記上部プレートに連結された延長チューブを第１の端部に、弁部材を第２の端部に備える、実施形態３２に記載の止血装置。
〔実施形態３５〕
前記圧迫機構がねじ付きポストを備える、実施形態３０に記載の止血装置。
〔実施形態３６〕
前記手の解剖学的嗅ぎタバコ入れ内の遠位橈骨動脈の血管アクセス穿刺部位に圧迫力を加える方法であって、
止血装置であって、
圧迫部材と、
第１のバンドと、
第２のバンドと、
第３のバンドと、
を備える止血装置を得ることと、
前記圧迫部材を前記遠位橈骨動脈上の穿刺部位上に配置することと、
前記第１のバンドを前記手の近位部分の周りに延ばすことであって、前記第１のバンドが前記第３のバンドに連結されることと、
親指と人差し指との間の前記親指の付け根の周りに前記第２のバンドを延ばすことであって、前記第２のバンドが前記第１のバンドに連結されることと、
圧迫力が前記遠位橈骨動脈上の穿刺部位に印加されるように前記圧迫部材を作動させることと、
を含む方法。
〔実施形態３７〕
前記圧迫部材の膨張可能なブラダが流体で充填される、実施形態３６に記載の方法。
〔実施形態３８〕
血管アクセス穿刺部位に圧迫力を加える方法であって、
止血装置であって、
圧迫部材と、
第１のバンドと、
第２のバンドと、
第３のバンドと、
を備える止血装置を得ることと、
前記穿刺部位に圧迫力を加えることと、
を含む方法。
〔実施形態３９〕
前記圧迫部材を前記前記穿刺部位上に配置することを更に含む、実施形態３８に記載の方法。
〔実施形態４０〕
前記第１のバンドを手の近位部分の周りに延ばすことであって、前記第１のバンドが前記第３のバンドに連結されることを更に含む、実施形態３８又は３９に記載の方法。
〔実施形態４１〕
親指と人差し指との間の前記親指の付け根の周りに前記第２のバンドを延ばすことであって、前記第２のバンドが前記第１のバンドに連結されることを更に含む、実施形態３８〜４０のいずれか一項に記載の方法。
〔実施形態４２〕
圧迫力が前記穿刺部位に向けられるように前記圧迫部材を作動させることを更に含む、実施形態３８〜４１のいずれか一項に記載の方法。
〔実施形態４３〕
止血アセンブリであって、
圧迫部材と、
手の近位部分の周りに延びるように構成された第１のバンドと、
手の親指の付け根の周りに延びるように構成された第２のバンドと、
を備える止血アセンブリ。
〔実施形態４４〕
前記圧迫部材が、血管アクセス穿刺部位に圧迫力を加えるように構成されている、実施形態４３に記載の止血アセンブリ。
〔実施形態４５〕
前記圧迫部材が、遠位橈骨動脈上の血管アクセス穿刺部位に圧迫力を加えるように構成されている、実施形態４３に記載の止血アセンブリ。
〔実施形態４６〕
前記第２のバンドが、前記止血アセンブリの長手方向の変位を防止するように構成されている、実施形態４３〜４５のいずれか一項に記載の止血アセンブリ。
〔実施形態４７〕
止血キットであって、
止血装置であって、
膨張可能なブラダと流体連通する膨張ポートを備える圧迫部材と、
前記圧迫部材の第１の側部に連結された第１のバンドと、
前記圧迫部材の第２の側部に連結された第２のバンドと、
前記圧迫部材の第３の側部に連結された第３のバンドと、
前記膨張ポートに連結されるように構成された膨張部材と、
を備える止血装置を備える、止血キット。
〔実施形態４８〕
バンド延長部を更に含む、実施形態４７に記載の止血キット。
〔実施形態４９〕
止血装置であって、
第１の側部及び第２の側部を備える圧迫部材と、
第１の端部及び第２の端部を含む第１のバンドであって、前記第１のバンドが第１の輪を形成するように、使用前に前記第１の端部が前記第１の側部に連結され、前記第２の端部が前記第２の側部に連結される、第１のバンドと、
第２のバンドと、
を備える止血装置。
〔実施形態５０〕
前記圧迫部材が第３の側部及び第４の側部を更に含み、前記第２のバンドが第３の端部及び第４の端部を更に含み、前記第２のバンドが第２の輪を形成するように、前記第３の端部が前記第３の側部に連結され、前記第４の端部が前記第４の側部に連結される、実施形態４９に記載の止血装置。
〔実施形態５１〕
前記第１の輪が、手の近位部分の周りに外嵌されるように構成されている、実施形態４９に記載の止血装置。
〔実施形態５２〕
前記第２の輪が、手の親指の周りに外嵌されるように構成されている、実施形態４９に記載の止血装置。
【手続補正２】
【補正対象書類名】特許請求の範囲
【補正対象項目名】全文
【補正方法】変更
【補正の内容】
【特許請求の範囲】
【請求項１】
止血装置であって、
血管穿刺部位を圧迫するように構成された圧迫部材と、
前記圧迫部材の第１の側部に連結されたハンドバンドと、
前記圧迫部材の第２の側部に連結された親指バンドと、
前記圧迫部材の第３の側部に連結された固定バンドと、
を備える止血装置。
【請求項２】
前記圧迫部材が、前記穿刺部位に圧迫力を加えるように構成された圧迫機構を備える、請求項１に記載の止血装置。
【請求項３】
前記圧迫機構が流体で膨張されるように構成されている、請求項２に記載の止血装置。
【請求項４】
前記圧迫機構が、
上部プレートと、
前記上部プレートの底面に連結された膨張可能なブラダと、
前記膨張可能なブラダと流体連通する膨張ポートと、
を備える、請求項２又は３に記載の止血装置。
【請求項５】
前記膨張ポートが、前記上部プレートに連結された弁部材を備える、請求項４に記載の止血装置。
【請求項６】
前記膨張ポートが、前記上部プレートに連結された延長チューブを第１の端部に、弁部材を第２の端部に備える、請求項４に記載の止血装置。
【請求項７】
前記圧迫機構がねじ付きポストを備える、請求項２に記載の止血装置。
【請求項８】
前記ハンドバンド、前記親指バンド及び前記固定バンドが、前記圧迫部材を前記穿刺部位上に配置して、前記圧迫部材を前記穿刺部位上に保持するように構成されている、請求項１〜７のいずれか一項に記載の止血装置。
【請求項９】
前記ハンドバンドが、患者の手首、足又は手の近位部分の周りに巻き付くように構成されている、請求項１〜８のいずれか一項に記載の止血装置。
【請求項１０】
前記親指バンドが、患者の手の親指と人差し指との間の前記親指の付け根の周りに巻き付くように、又は踵の周りに巻き付くように構成されている、請求項１〜９のいずれか一項に記載の止血装置。
【請求項１１】
前記ハンドバンドが、前記固定バンドに解放可能に連結するように構成されている、請求項１〜１０のいずれか一項に記載の止血装置。
【請求項１２】
前記親指バンドが、前記ハンドバンドに解放可能に連結するように構成されている、請求項１〜１１のいずれか一項に記載の止血装置。
【請求項１３】
前記ハンドバンド、前記親指バンド及び前記固定バンドが解放可能な連結機構を含む、請求項１〜１２のいずれか一項に記載の止血装置。
【請求項１４】
前記解放可能な連結機構が「フックアンドループ」材料を含む、請求項１３に記載の止血装置。
【請求項１５】
前記圧迫部材が、患者の手の前記解剖学的嗅ぎタバコ入れ内の遠位橈骨動脈穿刺部位を圧迫するように構成されている、請求項１〜１４のいずれか一項に記載の止血装置。
【請求項１６】
前記圧迫部材が、患者の遠位橈骨動脈穿刺部位を圧迫するように構成されている、請求項１〜１４のいずれか一項に記載の止血装置。
【請求項１７】
前記圧迫部材が、患者の足の動脈穿刺部位を圧迫するように構成されている、請求項１〜１４のいずれか一項に記載の止血装置。
【請求項１８】
止血装置であって、
血管アクセス穿刺部位を圧迫するように構成された圧迫部材と、
前記圧迫部材の第１の側部に連結された第１のバンドと、
前記圧迫部材の第２の側部に連結された第２のバンドと、
前記圧迫部材の第３の側部に連結された第３のバンドと、
を備える止血装置。
【請求項１９】
前記圧迫部材が圧迫機構を備え、
前記圧迫機構が、
上部プレートと、
前記上部プレートの底面に連結された膨張可能なブラダと、
前記膨張可能なブラダと流体連通する膨張ポートと、
を備える、請求項１８に記載の止血装置。
【請求項２０】
前記圧迫機構がねじ付きポストを備える、請求項１９に記載の止血装置。